(57)【要約】【課題】フラッシュ現象の発生を抑え、表示品位が改善された表示装置を提供する。【解決手段】本発明の表示装置は、発光素子と前記発光素子に発光電流を供給する画素回路とをそれぞれ含む、マトリクス状に配置された複数の画素部を含む表示パネルと、前記表示パネルの表示領域の少なくとも一部に対する表示データに基づき、前記表示領域の部分ごとに輝度調整値を順次算出する輝度調整値算出部と、前記輝度調整値算出部により順次算出される前記輝度調整値に基づいて、輝度調整された前記表示データを前記表示領域の部分ごとに生成する輝度調整部と、を含むことを特徴とする。【選択図】図３
2018180028.tif 000002
【特許請求の範囲】
【請求項１】
発光素子と前記発光素子に発光電流を供給する画素回路とをそれぞれ含む、マトリクス状に配置された複数の画素部を含む表示パネルと、
前記表示パネルの表示領域の少なくとも一部に対する表示データに基づき、前記表示領域の部分ごとに輝度調整値を順次算出する輝度調整値算出部と、
前記輝度調整値算出部により順次算出される前記輝度調整値に基づいて、輝度調整された前記表示データを前記表示領域の部分ごとに生成する輝度調整部と、
を含むことを特徴とする表示装置。
【請求項２】
請求項１に記載の表示装置において、
前記輝度調整値算出部は、前記輝度調整値を、該輝度調整値が適用される表示データの入力タイミングより前の所定期間に入力される表示データに基づいて算出する、ことを特徴とする表示装置。
【請求項３】
請求項２に記載の表示装置において、
前記所定期間は１フレーム期間である、ことを特徴とする表示装置。
【請求項４】
請求項１乃至３のいずれかに記載の表示装置において、
前記輝度調整値算出部は、前記表示領域の１ラインごとに前記輝度調整値を順次算出し、前記輝度調整部は、輝度調整された前記表示データを前記表示ラインの１ラインごとに生成する、ことを特徴とする表示装置。
【発明の詳細な説明】
【技術分野】
【０００１】
本発明は、表示装置に関し、特に表示装置の輝度調整方法に関する。
【背景技術】
【０００２】
従来、表示装置を備える電子機器は当該表示装置の駆動に大きな電力を消費する。一般に、当該表示装置の表示パネルの輝度が高いほど、当該表示装置を駆動するために要する消費電力は増加する。よって、消費電力抑制のため、表示装置には自動輝度調整機能が備えられる。
【先行技術文献】
【特許文献】
【０００３】
【特許文献１】特開２０１１−００２５２０号公報
【発明の概要】
【発明が解決しようとする課題】
【０００４】
従来の表示装置に備えられた自動輝度調整の機能を使用した場合、当該機能を使用しなかった場合と比較して表示品位が低下する場合がある。自動輝度調整回路において、（ｎ＋１）番目の表示フレームの輝度は、直前のｎ番目の表示フレームの輝度に基づいて制御される。そのため、ｎ番目の表示フレームと比較して、（ｎ＋１）番目の表示フレームの方が、明度や彩度が高くなる場合、（ｎ＋１）番目の表示フレームには当該機能によって制御された輝度が反映されず、ｎ番目の表示フレームよりも表示パネルが一瞬明るくなるフラッシュ現象が視認される場合がある。
【０００５】
本発明は上記課題に鑑みてなされたものであって、その目的は、フラッシュ現象の発生を抑え、表示品位が改善された表示装置を提供することにある。
【課題を解決するための手段】
【０００６】
本発明の表示装置は、発光素子と前記発光素子に発光電流を供給する画素回路とをそれぞれ含む、マトリクス状に配置された複数の画素部を含む表示パネルと、前記表示パネルの表示領域の少なくとも一部に対する表示データに基づき、前記表示領域の部分毎に輝度調整値を順次算出する輝度調整値算出部と、前記輝度調整値算出部により順次算出される前記輝度調整値に基づいて、輝度調整された前記表示データを前記表示領域の部分毎に生成する輝度調整部と、を含むことを特徴とする。
【０００７】
前記輝度調整値算出部は、前記輝度調整値を、当該輝度調整値が適用される表示データの入力タイミングより前の所定期間に入力される表示データに基づいて算出してもよい。
【０００８】
前記所定期間は１フレーム期間であってもよい。
【０００９】
前記輝度調整値算出部は、前記表示領域の１ライン毎に前記輝度調整値を順次算出し、前記輝度調整部は、輝度調整された前記表示データを前記表示ラインの１ライン毎に生成してもよい。
【図面の簡単な説明】
【００１０】
【図１】本実施形態に係る表示装置を概略的に示す平面図である。
【図２】本実施形態に係る表示装置の表示画素の等価回路を示す図である。
【図３】本実施形態に係る表示装置の輝度制御動作を実行するためのコントローラの構成の一例を示すブロック図である。
【図４Ａ】本実施形態に係る表示装置におけるフレーム表示遷移の一例について説明する図である。
【図４Ｂ】本実施形態に係る表示装置におけるライン毎の部分表示データ消費電力と輝度調整値の関係性の一例である。
【図５Ａ】変形例１の表示装置におけるフレーム表示遷移の一例について説明する図である。
【図５Ｂ】変形例１の表示装置における部分表示データ消費電力と輝度調整値の関係性の一例を示すグラフである。
【図６Ａ】変形例２の表示装置におけるフレーム表示遷移の一例について説明する図である。
【図６Ｂ】変形例２の表示装置における部分表示データ消費電力と輝度調整値の関係性の一例を示すグラフである。
【図７Ａ】変形例３の表示装置におけるフレーム表示遷移の一例について説明する図である。
【図７Ｂ】変形例３の表示装置における部分表示データ消費電力と輝度調整値の関係性の一例を示すグラフである。
【発明を実施するための形態】
【００１１】
以下に、本発明の実施形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１２】
図１は、本実施形態に係る表示装置１００を概略的に示す平面図である。図１に示すように、表示装置１００は、有機ＥＬパネル１及び当該有機ＥＬパネル１の動作を制御するコントローラ２を備えている。
【００１３】
有機ＥＬパネル１は、表示領域３、走査線駆動回路４、及び信号線駆動回路５を有する。
【００１４】
表示領域３は、ガラス板等の光透過性を有する絶縁基板上にマトリクス状に配列されたＰ×Ｑ個の表示画素ＰＸを備えている。そして、表示画素ＰＸの配列するライン（行）に沿ってゲート線Ｇａｔ（１〜Ｐ）が配置され、各表示画素ＰＸに接続されている。また、表示画素ＰＸの配列する列に沿ってＱ本の映像信号配線Ｓｉｇ（１〜Ｑ）が配置され、列毎に設けられた各表示画素ＰＸに接続されている。更に、高電位の電源線Ｖｄｄと、低電位の電源線Ｖｓｓとが各表示画素ＰＸに接続されている。
【００１５】
走査線駆動回路４は、ゲート線Ｇａｔ（１〜Ｐ）を表示画素ＰＸのライン毎に順次駆動する。信号線駆動回路５は、１又は複数の映像信号配線Ｓｉｇ（１〜Ｑ）を駆動する。走査線駆動回路４、及び信号線駆動回路５は、表示領域３の外側で絶縁基板上に一体的に形成され、コントローラ２と共に制御部６を構成している。
【００１６】
なお、表示領域３の各ライン（行）において、赤（Ｒ）表示用、緑（Ｇ）表示用、青（Ｂ）表示用の３種類の表示画素ＰＸが交互に並んで設けられている。
【００１７】
図２は、本実施形態に係る表示装置１００の表示画素ＰＸの等価回路を示す図である。画素部として機能する各表示画素ＰＸは、自己発光素子である有機ＥＬ素子２０、及び当該有機ＥＬ素子２０に駆動電流を供給する画素回路１０を含んでいる。
【００１８】
図２に示す表示画素ＰＸの画素回路１０は、電圧信号からなる映像信号に応じて有機ＥＬ素子８の発光を制御する電圧信号方式の画素回路である。画素回路１０は、駆動トランジスタ１１、画素スイッチ１２、及びキャパシタとしての保持容量１３を有している。
【００１９】
本実施形態に係る表示装置１００において、駆動トランジスタ１１及び画素スイッチ１２は、全て同一工程、同一層構造で形成された薄膜トランジスタ（ＴＦＴ：Ｔｈｉｎ  Ｆｉｌｍ  Ｔｒａｎｓｉｓｔｏｒ）により構成されている。ここでは同一導電型であるＮチャネル型のＴＦＴを使用しており、例えば、半導体層にＩＧＺＯ、ａ−Ｓｉ、もしくはポリシリコン等を用いたトップゲート構造のＴＦＴである。なお、各スイッチ及びトランジスタは、Ｎチャネル型に限らず、スイッチとして機能すれば、Ｐチャネル型としてもよい。
【００２０】
駆動トランジスタ１１及び画素スイッチ１２は、それぞれにソース電極、ドレイン電極、及びゲート電極を有する。
【００２１】
表示画素ＰＸの画素回路１０において、例えば緑（Ｇ）表示用の表示画素ＰＸでは、駆動トランジスタ１１は、高電位の電源線Ｖｄｄと低電位の電源線Ｖｓｓとの間で有機ＥＬ素子２０と直列に接続されている。電源線Ｖｄｄは、例えば１０Ｖの電位に設定され、電源線Ｖｓｓは、例えば−４Ｖの電位に設定される。
【００２２】
駆動トランジスタ１１は、映像信号に応じた電流量の駆動電流を有機ＥＬ素子２０に出力し、有機ＥＬ素子２０の陰極は、電源線Ｖｓｓに接続されている。
【００２３】
画素スイッチ１２は、そのドレイン電極が映像信号配線Ｓｉｇに接続され、ソース電極が駆動トランジスタ１１のゲート電極に接続されている。画素スイッチ１２のゲート電極はゲート線Ｇａｔに接続され、当該ゲート線Ｇａｔから供給される制御信号ＳＧによりオン、オフ制御される。そして、画素スイッチ１２は、制御信号ＳＧに応答して、画素回路１０と映像信号配線Ｓｉｇとの接続、非接続を制御し、対応する映像信号配線Ｓｉｇから映像電圧信号を画素回路１０に取り込む。
【００２４】
保持容量１３は、対向する２つの端子を有し、駆動トランジスタ１１のゲート電極とソース電極との間に接続され、映像信号により決定される駆動トランジスタ１１のゲート−ソース間の制御電位を保持する。
【００２５】
一方、図１に示すコントローラ２は有機ＥＬパネル１の外部に配置されたプリント回路基板上に形成され、走査線駆動回路４及び信号線駆動回路５を制御する。コントローラ２は外部から供給されるデジタル映像信号（例えば、表示データ３０）及び同期信号を受け取り、垂直走査タイミングを制御する垂直走査制御信号、及び水平走査タイミングを制御する水平走査制御信号を同期信号に基づいて発生させる。
【００２６】
そして、コントローラ２は、これら垂直走査制御信号及び水平走査制御信号をそれぞれ走査線駆動回路４及び信号線駆動回路５へ供給すると共に、水平及び垂直走査タイミングに同期してデジタル映像信号を信号線駆動回路５に供給する。
【００２７】
信号線駆動回路５は水平走査制御信号の制御により各水平走査期間において順次得られる映像信号をアナログ形式に変換し、映像信号に応じた赤（Ｒ）用映像電圧信号、緑（Ｇ）用映像電圧信号、青（Ｂ）用映像電圧信号を含む複数階調の階調電圧信号Ｖｓｉｇを１又は複数の映像信号配線Ｓｉｇ（１〜Ｑ）へ並列的に供給する。
【００２８】
走査線駆動回路４は、シフトレジスタ、出力バッファ等を含み、外部から供給される垂直走査スタートパルスを順次次段に転送し、図１及び図２に示すように、各ラインの表示画素ＰＸへ制御信号ＳＧ（１〜Ｐ）を供給する。これにより、ゲート線Ｇａｔ（１〜Ｐ）は、制御信号ＳＧ（１〜Ｐ）により駆動される。
【００２９】
図３は、本実施形態の表示装置１００の輝度制御動作を実行するためのコントローラ２の構成の一例を示すブロック図である。なお、図３に示すコントローラ２は、輝度制御動作に関連する部位を抽出して記載している。
【００３０】
外部に設けられたプロセッサ７は、デジタル映像信号である表示データ３０と同期信号とをコントローラ２へ送る。ここで、プロセッサ７は、例えば電子機器に組み込まれているアプリケーション処理プロセッサである。なお、表示データ３０をコントローラ２へ出力する装置は、プロセッサ７に限られず、例えばメモリ装置などでもよい。
【００３１】
コントローラ２は、プロセッサ７から送信された表示データ３０の画質を改善すると共に、消費電力を抑制するように映像信号の輝度を処理して、処理後の映像信号（例えば、デジタル信号３４）と、前述の同期信号を処理した信号を含むタイミング信号とを有機ＥＬパネル１に出力する。有機ＥＬパネル１では、駆動回路（走査線駆動回路４及び信号線駆動回路５）がコントローラ２からの映像信号（例えば、デジタル信号３４）とタイミング信号とに基づいて、表示領域３の表示画素ＰＸを駆動して映像を表示する。
【００３２】
なお、前述のように、コントローラ２と駆動回路（走査線駆動回路４及び信号線駆動回路５）とで制御部６を構成する。
【００３３】
続いて、コントローラ２の構成について説明する。コントローラ２は、レシーバ４０及び画質調整部５０を備える。
【００３４】
レシーバ４０は、プロセッサ７から表示１ライン（行）毎の表示データ３０を受信し、受信した表示データ３０を１ライン毎に画質調整部５０へ送る。
【００３５】
画質調整部５０は、レシーバ４０から１ライン毎に表示データ３０を受け、表示で消費される電力を抑制するために当該表示データ３０の輝度を調整する。
【００３６】
画質調整部５０は、自動輝度調整である自動輝度調整値演算部５１、輝度制御部５２、及びガンマ変換部５３を備え、さらに、自動輝度調整値演算部５１は、ライン毎消費電力演算部５１ａ、部分表示データ消費電力演算部５１ｂ、及び輝度調整値算出部５１ｃを備える。
【００３７】
ライン毎消費電力演算部５１ａは、現在表示領域３の少なくとも一部に存在する１又は複数のラインそれぞれの表示データ３０で表される輝度に基づき、数式（１）に従って消費電力を計算する。例えば、当該表示領域３の部分毎に含まれる１又は複数のラインそれぞれの表示データ３０の輝度を消費電力に変換するための係数を乗算する。
Ｗｌｉｎｅｉ＝Σ（Ｒｉｎ(ｉ)×ＫＲ＋Ｇｉｎ(ｉ)×ＫＧ＋Ｂｉｎ(ｉ)×ＫＢ）      …  （１）
【００３８】
この数式（１）において、Ｗｌｉｎｅｉは、当該表示領域３の少なくとも一部に含まれるｉライン目の表示データ３０における消費電力である。ｉライン目の表示データ３０に含まれる赤画素の輝度はＲｉｎ(ｉ)、緑画素の輝度はＧｉｎ(ｉ)、及び青画素の輝度はＢｉｎ(ｉ)であり、赤画素の輝度を消費電力に変換する係数はＫＲ、緑画素の輝度を消費電力に変換する係数はＫＧ、及び青画素の輝度を消費電力に変換する係数はＫＢである。
【００３９】
部分表示データ消費電力演算部５１ｂは、現時点での当該表示領域３の部分毎の表示データ３０を表示するために必要な消費電力（部分表示データ消費電力３１：Ｗ）について、数式（２）に従って算出する。例えば、当該表示領域３の部分毎の部分表示データ消費電力３１は、ライン毎消費電力演算部５１ａで算出された当該表示領域３の部分毎に含まれる１ライン毎の消費電力を全て累積することで求めることができる。
Ｗｐａｒｔｉ＝ΣＷｌｉｎｅｉ−１      …  （２）
【００４０】
輝度調整値算出部５１ｃは、部分表示データ消費電力３１に基づき、輝度調整値３２を算出する。例えば、数式（３）に従って、輝度調整値３２であるＬは部分表示データ消費電力３１であるＷの関数であり、表示領域消費電力演算部５１ｂで算出された部分表示データ消費電力３１から当該表示領域３の輝度調整値Ｌが算出されるが、部分表示データ消費電力３１と輝度調整値３２は必ずしも関数で定義される関係である必要はない。なお、輝度調整値３２は、表示により消費される電力が十分に抑制される程度の小さい値とし、例えば１より小さい値である。
Ｌｐａｒｔｉ＝ｆ（Ｗｐａｒｔｉ）      …  （３）  
【００４１】
輝度制御部５２は、１ライン毎の表示データ３０をレシーバ４０より受け、更に、輝度調整値３２を自動輝度調整値演算部５１から受ける。輝度制御部５２は、数式（４）から数式（６）に従って、出力データ３３に含まれる当該表示領域３の少なくとも一部に含まれる赤画素の輝度Ｒｏｕｔ、緑画素の輝度Ｇｏｕｔ、及び青画素の輝度Ｂｏｕｔをそれぞれ算出する。出力データ３３は、当該表示領域３の部分毎に算出してもよく、もしくは、表示領域３の１ライン毎に算出してもよい。その後、輝度制御部５２は、生成した出力データ３３をガンマ変換部５３へ送る。
Ｒｏｕｔ＝Ｌｐａｒｔ×Ｒｉｎ      …  （４）
Ｇｏｕｔ＝Ｌｐａｒｔ×Ｇｉｎ      …  （５）
Ｂｏｕｔ＝Ｌｐａｒｔ×Ｂｉｎ      …  （６）
【００４２】
図３において、ガンマ変換部５３は、出力データ３３に対してガンマ変換処理を実行してデジタル信号３４を生成し、ガンマ変換されたデジタル信号３４を有機ＥＬパネル１へ送る。
【００４３】
駆動回路（走査線駆動回路４及び信号線駆動回路５）は、デジタル信号３５をアナログの階調電圧信号Ｖｓｉｇに変換し、映像信号配線Ｓｉｇを介して表示領域３の画素回路１０へ供給する。
【００４４】
次に、本実施形態に係るフレーム表示遷移について、図４Ａ及び図４Ｂを参照しつつ説明する。本実施形態では、フレームの１ライン毎に全て異なる輝度調整値を適用することで、（ｎ−１）番目のフレームとｎ番目のフレーム、及びｎ番目のフレームと（ｎ＋１）番目のフレーム間で生じる輝度差を抑制し、フラッシュ現象を防止する。
【００４５】
まず、１ライン毎の輝度調整によるフレーム表示遷移のうち、ｎ番目のフレームにおける１ライン目の輝度調整について説明する。
【００４６】
ｎ番目のフレームにおける１ライン目については、従来と同様、（ｎ−１）番目のフレームに適用されている輝度調整値Ｌｎ−１と、ｎ番目のフレームにおける１ライン目の表示データと、を乗じて生成される出力データがガンマ変換部へ送られる。そのため、ｎ番目のフレームにおける１ライン目の輝度は、従来のｎ番目のフレームの輝度と等価となる。
【００４７】
ｎ番目のフレームにおける１ライン目に対応する輝度調整値Ｌｎ＿ｌｉｎｅ１は、ｎ番目のフレームにおける１ライン目の部分表示データ消費電力Ｗｎ＿ｌｉｎｅ１、及び（ｎ−１）番目のフレームにおける１ライン目以外の部分の部分表示データ消費電力（Ｗｎ−１−Ｗｎ−１＿ｌｉｎｅ１）に基づいて算出される。
【００４８】
１ライン毎の輝度制御によるフレーム表示遷移のうち、ｎ番目のフレームにおけるｉライン目（１＜ｉ＜Ｐ、フルハイビジョン規格の場合はＰ＝１９２０）の輝度調整について説明する。
【００４９】
ｎ番目のフレームにおけるｉライン目の表示データと、既に算出されたｎ番目のフレームにおける（ｉ−１）ライン目に対応する輝度調整値Ｌｎ＿ｌｉｎｅｉ−１と、を乗じて生成される出力データがガンマ変換部へ送られる。ここで、ｎ番目のフレームにおける（ｉ−１）ライン目に対応する輝度調整値Ｌｎ＿ｌｉｎｅｉ−１は、ｎ番目のフレームにおける（ｉ−２）ライン目に対応する輝度調整値Ｌｎ＿ｌｉｎｅｉ−２よりも小さい。ゆえに、ｎ番目のフレームにおけるｉライン目は、ｎ番目のフレームにおける（ｉ−１）ライン目よりも暗く表示される。
【００５０】
また、ｎ番目のフレームにおけるｉライン目に対応する輝度調整値Ｌｎ＿ｌｉｎｅｉは、ｎ番目のフレームにおける１〜（ｉ−１）ライン目の部分表示データ消費電力Ｗｎ＿ｐａｒｔｉに基づき算出される。もしくは、１〜（ｉ−１）ライン目の部分表示データ消費電力Ｗｎ＿ｐａｒｔｉと、（ｎ−１）番目のフレームにおいて（ｉ＋１）ライン目からＰライン目の部分表示データ消費電力（Ｗｎ−１−Ｗｎ−１＿ｐａｒｔｉ）と、の和に基づいて算出してもよい。
【００５１】
最後に、１ライン毎の輝度調整によるフレーム表示遷移のうち、ｎ番目のフレームにおけるＰライン目の輝度調整について説明する。
【００５２】
ｎ番目のフレームにおけるＰライン目の表示データと、既に算出されたｎ番目のフレームにおける（Ｐ−１）ライン目に対応する輝度調整値Ｌｎ＿ｌｉｎｅＰ−１と、を乗じて生成される出力データがガンマ変換部へ送られる。ここで、ｎ番目のフレームにおける（Ｐ−１）ライン目に対応する輝度調整値Ｌｎ＿ｌｉｎｅＰ−１は、ｎ番目のフレームにおける（Ｐ−２）ライン目に対応する輝度調整値Ｌｎ＿ｌｉｎｅＰ−２よりも小さい。ゆえに、ｎ番目のフレームにおけるＰライン目は、ｎ番目のフレームにおける（Ｐ−１）ライン目よりも暗く表示される。
【００５３】
ｎ番目のフレームにおけるＰライン目に対応する輝度調整値Ｌｎ＿ｌｉｎｅＰは、ｎ番目のフレームにおける１〜（Ｐ−１）ライン目の部分表示データ消費電力Ｗｎ＿ｐａｒｔＰ、すなわちＷｎ＿ｍａｘに基づき算出される。従って、本実施形態におけるＰライン目に対応する輝度調整値Ｌｎ＿ｌｉｎｅＰは、自動輝度調整によって設定される所望の輝度調整値Ｌｎと等しい。
【００５４】
図４Ｂは、第１の実施形態に係る表示装置におけるライン毎の部分表示データ消費電力３１と輝度調整値３２の関係を示している。このように、ライン毎で輝度調整を行う場合は、例えば、当該ラインが１つ前のラインと等しい輝度調整値３２を適用する、もしくは前ラインよりも段階的に暗くなる調整を行う。前述の制御のうち、当該ラインが１つ前のラインよりも段階的に暗くなる調整を行う場合は、例えば、当該関係を傾きが負の１次関数とすることができる。これ以外にも、ライン毎の表示データ消費電力３１から輝度調整値３２を求めるための関数ｆ（ｘ）は、ｘ１＜ｘ２ならば、ｆ（ｘ１）≧ｆ（ｘ２）が成り立つ関数であればよい。仮に、上記の変換を動画像データの場合に適用すると、部分表示データ消費電力３１は時間ｔの関数であり、関数ｆ（ｘ）も時間ｔの関数となる。図４Ｂでは、ライン毎の表示データ消費電力３１と適用する輝度調整値３２との関係を１次関数によって示したが、当該関係はこの限りではない。
【００５５】
［変形例］
図５〜７は、それぞれ前述の実施形態の変形例１〜３を示している。図５Ａ及び図５Ｂに示す変形例１は、１ライン毎ではなく複数の部分、例えば、３部分毎の表示データ３０に全て異なる輝度調整値３２を適用している。また、図６Ａ及び図６Ｂに示す変形例２は、複数の部分、例えば、３部分毎の表示データ３０のうち第２の部分以降に、設定される所望の輝度調整値Ｌｎを適用している。あるいは、図７Ａ及び部７Ｂに示す変形例３は、複数の部分毎の表示データ３０について、第ｍの部分（ｍは自然数）に適用される輝度調整値Ｌｎ＿ｍ-1と、第（ｍ＋１）の部分に適用される輝度調整値Ｌｎ＿ｍと、の関係が、Ｌｎ＿ｍ-1≧Ｌｎ＿ｍとなるよう、それぞれの部分毎の表示データ３０に輝度調整値３２を適用している。
【００５６】
これらいずれの変形例についても、（ｎ−１）番目のフレームとｎ番目のフレーム、及びｎ番目のフレームと（ｎ＋１）番目のフレーム間で生じる輝度差を抑制し、フラッシュ現象を防止する。
【００５７】
以上のように、自動輝度調整によって表示パネルの輝度制御がされる表示装置において、表示パネルの表示領域の少なくとも一部に対する表示データに基づいて順次算出される輝度調整値を、１ライン毎もしくは部分毎の表示データへ適用した映像を生成することで、本構成を有さない表示装置と比較して、フラッシング現象を抑制した表示装置を提供することができる。
【００５８】
加えて、このフラッシュ現象を防止する技術としては、表示データの書き込みを行う前にフレームをフレームメモリに記憶することで、表示映像の急激な輝度変化を防止するための輝度調整を行う方法があるが、当該方法ではフレームメモリを必要としないため、製造コストを削減することができる。
【００５９】
本発明の思想の範疇において、当業者であれば、各種変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【００６０】
また、本実施形態において述べた態様よりもたらされる他の作用効果について本明細書記載から明らかなもの、又は当業者において適宜想到し得るものについては、当然に本発明によりもたらされるものと解される。
【符号の説明】
【００６１】
１…有機ＥＬパネル、２…コントローラ、３…表示領域、４…走査線駆動回路、５…信号線駆動回路、６…制御部、７…プロセッサ、１０…画素回路、１１…駆動トランジスタ、１２…画素スイッチ、１３…保持容量、２０…有機ＥＬ素子、３０…表示データ、３１…部分表示データ消費電力、３２…輝度調整値、３３…出力データ、３４…デジタル信号、４０…レシーバ、５０…画質調整部、５１…自動輝度調整値演算部、５１ａ…ライン毎消費電力演算部、５１ｂ…部分表示データ消費電力演算部、５１ｃ…輝度調整値算出部、５２…輝度制御部、５３…ガンマ変換部、１００…表示装置、Ｇａｔ…ゲート線、ＰＸ…表示画素、ＳＧ…制御信号、Ｓｉｇ…映像信号回路、Ｖｄｄ…高電位電源線、Ｖｓｓ…低電位電源線、Ｖｓｉｇ…階調電圧信号。
【図１】
2018180028.tif 000003
【図２】
2018180028.tif 000004
【図３】
2018180028.tif 000005
【図４Ａ】
2018180028.tif 000006
【図４Ｂ】
2018180028.tif 000007
【図５Ａ】
2018180028.tif 000008
【図５Ｂ】
2018180028.tif 000009
【図６Ａ】
2018180028.tif 000010
【図６Ｂ】
2018180028.tif 000011
【図７Ａ】
2018180028.tif 000012
【図７Ｂ】
2018180028.tif 000013